(57)【要約】【課題】オイル油温制御装置において、エンジン暖機中においてオイル熱交換器に供給されるオイルの量を増加してオイルをオイル熱交換器において冷却水と高効率で熱交換させることにより、エンジン暖機を促進する。【解決手段】オイルクーラ３０内を流通したオイルパン３２からのオイルのうちオイルパン３２に戻すオイルの量を調整することでエンジン本体部１０に供給されるオイルの量を調整可能なオイル調量手段３１ａを備える。【選択図】図１
2010216410.tif 000002
【特許請求の範囲】
【請求項１】
オイルポンプによりオイルパンからエンジン本体部に供給されるオイルを、ウォータポンプにより上記エンジン本体部とラジエータとの間で又は該ラジエータを迂回して該エンジン本体部との間で循環される冷却液と熱交換させるオイル熱交換器を備えているエンジンの油温制御装置であって、
上記オイル熱交換器内を流通した上記オイルパンからのオイルのうち上記オイルパンに戻すオイルの量を調整することで上記エンジン本体部に供給されるオイルの量を調整可能なオイル調量手段を備えていることを特徴とするエンジンの油温制御装置。
【請求項２】
請求項１記載のエンジンの油温制御装置において、
上記オイルパンからのオイルを上記エンジン本体部に供給するためのオイル通路には、上記オイル熱交換器の下流側に、上記オイル調量手段としてのリリーフ弁を有するオイルポンプが配設されていることを特徴とするエンジンの油温制御装置。
【請求項３】
請求項１又は２記載のエンジンの油温制御装置において、
上記ウォータポンプは電動ウォータポンプであり、
エンジン暖機中であって、エンジン冷間始動から設定時間が経過するまで、上記エンジン本体部との間で冷却液を循環させるための冷却液回路において冷却液の流通状態が流通停止状態になるように上記電動ウォータポンプを作動させる一方、エンジン暖機中であって、上記設定時間が経過した後、上記冷却液回路において冷却液の流通状態がエンジン暖機完了後の流通状態よりも冷却液の流通量が少ない流通状態になるように上記電動ウォータポンプを作動させるポンプ制御手段をさらに備えていることを特徴とするエンジンの油温制御装置。
【発明の詳細な説明】
【技術分野】
【０００１】
本発明は、オイルポンプによりオイルパンからエンジン本体部に供給されるオイルを、ウォータポンプにより上記エンジン本体部とラジエータとの間で又は該ラジエータを迂回して該エンジン本体部との間で循環される冷却液と熱交換させるオイル熱交換器を備えているエンジンの油温制御装置に関するものである。
【背景技術】
【０００２】
従来より一般に、エンジンの油温制御装置においては、オイルポンプによりオイルパンから吸い上げたエンジン潤滑用のオイルのうちオイル調量手段（例えばリリーフ弁）によりオイルパンに戻すオイルの量を調整することでエンジン本体部に供給されるオイルの量を調整した後に、その調量されたオイルをオイル熱交換器において冷却液と熱交換してエンジン本体部に供給するようにしている（例えば特許文献１を参照）。そして、エンジン始動後の冷機時に、上記のようにオイルをオイル熱交換器において冷却液と熱交換することにより、オイルは加熱されてその温度が上昇し、エンジンの暖機を促進するようになり、その結果としてエンジンの機械抵抗が低くなり、エンジン燃費が向上する。
【特許文献１】特開２００５−２９９５９２号公報
【発明の開示】
【発明が解決しようとする課題】
【０００３】
オイルをオイル熱交換器において冷却液と高効率で熱交換させるためには、オイル熱交換器に供給されるオイルの量を増加すればよい。
【０００４】
しかしながら、特許文献１のものでは、上記のように、オイルパンからのオイルのうちオイルパンに戻すオイルの量を調整することでエンジン本体部に供給されるオイルの量を調整した後に、その調量されたオイルをオイル熱交換器において冷却液と熱交換することから、オイル熱交換器に供給されるオイルの量を十分に増加したものとはいえず、その増量について改善の余地が残るものであった。
【０００５】
本発明は、かかる点に鑑みてなされたものであり、その目的とするところは、オイルポンプによりオイルパンからエンジン本体部に供給されるオイルを、ウォータポンプにより上記エンジン本体部とラジエータとの間で又は該ラジエータを迂回して該エンジン本体部との間で循環される冷却液と熱交換させるオイル熱交換器を備えているオイル油温制御装置において、エンジン暖機中においてオイル熱交換器に供給されるオイルの量を増加してオイルをオイル熱交換器において冷却液と高効率で熱交換させることにより、エンジン暖機を促進することにある。
【課題を解決するための手段】
【０００６】
第１の発明は、オイルポンプによりオイルパンからエンジン本体部に供給されるオイルを、ウォータポンプにより上記エンジン本体部とラジエータとの間で又は該ラジエータを迂回して該エンジン本体部との間で循環される冷却液と熱交換させるオイル熱交換器を備えているエンジンの油温制御装置であって、上記オイル熱交換器内を流通した上記オイルパンからのオイルのうち上記オイルパンに戻すオイルの量を調整することで上記エンジン本体部に供給されるオイルの量を調整可能なオイル調量手段を備えていることを特徴とするものである。
【０００７】
これにより、オイル調量手段により、オイル熱交換器内を流通したオイルパンからのオイルのうちオイルパンに戻すオイルの量を調整することでエンジン本体部に供給されるオイルの量を調整するので、従来のように、オイルパンからのオイルのうちオイルパンに戻すオイルの量を調整することでエンジン本体部に供給されるオイルの量を調整した後に、その調量されたオイルをオイル熱交換器内を流通させる場合と比較して、オイル熱交換器に供給されるオイルの量を増加させることができる。このため、オイルをオイル熱交換器において冷却液と高効率で熱交換させることができ、オイル全体の温度を上昇させることができる。よって、エンジン暖機を促進することができる。
【０００８】
第２の発明は、上記第１の発明において、上記オイルパンからのオイルを上記エンジン本体部に供給するためのオイル通路には、上記オイル熱交換器の下流側に、上記オイル調量手段としてのリリーフ弁を有するオイルポンプが配設されていることを特徴とするものである。
【０００９】
これにより、本発明の最良の実施形態を実現することができる。
【００１０】
また、上記のように、オイル全体の温度を上昇させることができるので、オイルの粘度を低減することができ、作動油圧を低下させることができる。このため、オイル熱交換器内を流通したオイルパンからのオイルのうちオイルパンに戻すオイルの量を低減させることができる。よって、リリーフ損失を低減することができ、エンジン暖機をより一層促進することができる。
【００１１】
第３の発明は、上記第１又は２の発明において、上記ウォータポンプは電動ウォータポンプであり、エンジン暖機中であって、エンジン冷間始動から設定時間が経過するまで、上記エンジン本体部との間で冷却液を循環させるための冷却液回路において冷却液の流通状態が流通停止状態になるように上記電動ウォータポンプを作動させる一方、エンジン暖機中であって、上記設定時間が経過した後、上記冷却液回路において冷却液の流通状態がエンジン暖機完了後の流通状態よりも冷却液の流通量が少ない流通状態になるように上記電動ウォータポンプを作動させるポンプ制御手段をさらに備えていることを特徴とするものである。
【００１２】
これにより、ポンプ制御手段により、エンジン暖機中であって、エンジン冷間始動から設定時間が経過するまで、エンジン本体部との間で冷却液を循環させるための冷却液回路において冷却液の流通状態が流通停止状態になるように電動ウォータポンプを作動させる一方、エンジン暖機中であって、エンジン冷間始動から設定時間が経過した後、冷却液回路において冷却液の流通状態がエンジン暖機後の流通状態よりも冷却液の流通量が少ない流通状態になるように電動ウォータポンプを作動させるので、エンジンの放熱を極小化することができ、エンジン暖機中においてオイル熱交換器に供給されるオイルと冷却液との温度差を大きくすることができる。このため、オイルをオイル熱交換器において冷却液とより一層高効率で熱交換させることができ、オイル全体の温度をより一層上昇させることができる。よって、エンジン暖機をより一層促進することができる。
【発明の効果】
【００１３】
本発明によれば、オイル調量手段により、オイル熱交換器内を流通したオイルパンからのオイルのうちオイルパンに戻すオイルの量を調整することでエンジン本体部に供給されるオイルの量を調整するので、従来のように、オイルパンからのオイルのうちオイルパンに戻すオイルの量を調整することでエンジン本体部に供給されるオイルの量を調整した後に、その調量されたオイルをオイル熱交換器内を流通させる場合と比較して、オイル熱交換器に供給されるオイルの量を増加させることができ、このため、オイルをオイル熱交換器において冷却液と高効率で熱交換させることができ、オイル全体の温度を上昇させることができ、よって、エンジン暖機を促進することができる。
【発明を実施するための最良の形態】
【００１４】
以下、本発明の実施形態を図面に基づいて詳細に説明する。
【００１５】
−エンジン冷却装置の構成−
図１は、本発明の実施形態に係るエンジン冷却装置Ａ及びエンジン油温制御装置Ｂの構成を模式的に示す。このエンジン冷却装置Ａは、エンジン（例えば直列４気筒エンジン）の本体部１０を構成するシリンダブロック１１及びシリンダヘッド１２にそれぞれ形成されたウォータジャケット１３，１４と、外気によって冷却水（冷却液）を冷やすために車両の前部等に配設されたラジエータ１５と、このラジエータ１５及びエンジン本体部１０の間で冷却水を循環させるための第１及び第２通路１６，１７と、ラジエータ１５を迂回してエンジン本体部１０との間で冷却水を循環させるためのバイパス通路１８と、シリンダブロック１１のウォータジャケット１３に冷却水を送給する電動ウォータポンプ（以下、単に電動ポンプといい、Ｗ／Ｐともいう）１９とを備えている。
【００１６】
尚、シリンダブロック１１のウォータジャケット１３、シリンダヘッド１２のウォータジャケット１４、第１及び第２通路１６，１７、後述の導入路２０、並びに後述の導出路２１がメイン回路を構成している。また、シリンダブロック１１のウォータジャケット１３、シリンダヘッド１２のウォータジャケット１４、第１通路１６、バイパス通路１８、導入路２０、及び導出路２１がサブ回路を構成している。そして、これらのメイン回路及びサブ回路が冷却水回路（冷却液回路）を構成している。
【００１７】
シリンダブロック１１のウォータジャケット１３は、４つのシリンダ（図示せず）の外周を囲むようにしてシリンダブロック１１の長手方向（シリンダ列方向であり、以下、エンジン前後方向ともいう）全体に亘って形成され、その前端部に開口する導入路２０を介して電動ポンプ１９の吐出側に連通している。
【００１８】
また、シリンダブロック１１のウォータジャケット１３は、シリンダブロック１１のトップデッキの前端側に形成された主要な孔部（図示せず）と、シリンダヘッド１２のボトムデッキの前端側に形成された主要な孔部（図示せず）とを介して、シリンダヘッド１２のウォータジャケット１４にも連通しており、これにより、上記のようにシリンダブロック１１のウォータジャケット１３を流れる冷却水は、順次、シリンダヘッド１２のウォータジャケット１４に流通するようになっている。
【００１９】
シリンダヘッド１２のウォータジャケット１４は、各シリンダの吸排気ポートやプラグホール（図示せず）の外周を包み込むようにしてシリンダヘッド１２の長手方向全体に亘って形成され、その後端部に開口する導出路２１を介してオイルクーラ３０の冷却水入口に連通している。第１通路１６の上流端部は、オイルクーラ３０の冷却水出口に連通している。以上により、シリンダヘッド１２のウォータジャケット１４を流通した比較的高温の冷却水は、導出路２１からオイルクーラ３０内に流入し、オイルクーラ３０においてオイルと熱交換した後に、第１通路１６に流出するようになる。
【００２０】
第１通路１６の下流端部はラジエータ１５のアッパタンクに接続されており、第１通路１６内を流通した比較的高温の冷却水は、ラジエータ１５において外気と熱交換して冷却された後に、ラジエータ１５のロワタンクに接続されている第２通路１７に流出し、この第２通路１７内を流通して電動ポンプ１９の吸入側に戻される。
【００２１】
バイパス通路１８は、第１通路１６の途中で分岐している。
【００２２】
電動ポンプ１９は、例えばインペラの回転によって冷却水を送り出す従来周知の遠心式のものであり、そのインペラのシャフトに接続された電動モータの作動が、エンジンコントロールユニット２４（以下、ＥＣＵという）のポンプ制御手段としてのポンプ制御部２４ａによって制御されるようになっている。言い換えると、電動ポンプ１９は、ＥＣＵ２４のポンプ制御部２４ａによりその作動状態を制御され、エンジン本体部１０との間で冷却水を循環させるための冷却水回路における冷却水の流通状態を変更可能なウォータポンプを構成している。
【００２３】
この実施形態では、電動ポンプ１９の吸入側に隣接して、外部駆動式のサーモスタット（以下、単にサーモスタットという）２５が設けられていて、このサーモスタット２５に第２通路１７及びバイパス通路１８の各下流端部がそれぞれ接続されている。そして、第２通路１７及びバイパス通路１８がサーモスタット２５を介して、電動ポンプ１９の吸入口に開閉可能に連通されている。
【００２４】
すなわち、サーモスタット２５が全閉しているときには、第２通路１７を閉じてバイパス通路１８を開く一方、サーモスタット２５が開き始めると、バイパス通路１８からの冷却水の流れを絞り、サーモスタット２５が全開になれば、第２通路１７を開いてバイパス通路１８を閉じるようになっている。
【００２５】
サーモスタット２５は、例えばワックスによって開閉する従来周知のものであり、そのワックスを加熱するコイルの作動が、ＥＣＵ２４の冷却液回路制御手段としての冷却水回路制御部２４ｂによって制御されるようになっている。言い換えると、サーモスタット２５は、ＥＣＵ２４の冷却水回路制御部２４ｂによりその作動状態を制御され、冷却水を循環させる回路をメイン回路とサブ回路とに変更可能な冷却液回路可変手段を構成している
ＥＣＵ２４は、周知の如くＣＰＵやメモリ、Ｉ／Ｏインターフェース回路、ドライバ回路等を備えて、エンジンの運転制御のために各シリンダ毎の燃料噴射制御や点火時期制御を行うものであるが、これに加えて、この実施形態では、主にエンジンの温度及び負荷状態、或いは回転数等に応じて、電動ポンプ１９やサーモスタット２５の作動を制御するようになっている。
【００２６】
すなわち、この実施形態では、ＥＣＵ２４は、少なくとも、エンジンの負荷状態を検出するためのセンサ２６（例えば車両のアクセル開度センサやエアフローセンサ等であり、以下、負荷状態センサと呼ぶ）からの信号と、エンジン回転数センサ２７からの信号と、例えばシリンダヘッド１２の導出路２１に配設された水温センサ２８からの信号とを入力して、これによりエンジンの状態を判定し、これに応じて電動ポンプ１９やサーモスタット２５への出力電圧を制御するようになっている。
【００２７】
後述の如く、例えば冷間始動直後にエンジンの暖機を促進すべく電動ポンプ１９を停止させたり、Ｗ／Ｐパルス制御モードで運転したりするときには、ウォータジャケット１３において冷却水の流通が殆ど停止に近い状態になり、シリンダブロック１１やシリンダヘッド１２の部位毎の温度差がそのまま冷却水温度に反映されるようになるが、このときに冷却水温度は、シリンダヘッド１２の排気側で最も高くなる一方、シリンダブロック１１の吸気側で最も低くなり、シリンダブロック１１の排気側では平均的な温度状態になる。
【００２８】
また、Ｗ／Ｐ停止時間縮小制御モードやＷ／Ｐ停止時間拡大制御モード、Ｗ／Ｐ連続運転制御モード、Ｗ／Ｐ通常制御モードのようにウォータジャケット１３，１４を冷却水がシリンダ列方向に流れる場合は、この方向の中央寄りの部位の冷却水温度が両端部に比べて安定する。
【００２９】
以上のように構成されたエンジン冷却装置Ａにおける冷却水の全体的な流れは、図２に模式的に示すようになる。同図は、サーモスタット２５が閉じているときの流れを矢印で示し、電動ポンプ１９によってシリンダブロック１１のウォータジャケット１３に送られた冷却水は、シリンダヘッド１２のウォータジャケット１４にも流れた後に、第１通路１６及びバイパス通路１８を流通し、その後、電動ポンプ１９の吸入側に戻される。このとき、サーモスタット２５が閉じていることから、ラジエータ１５との間では冷却水は流れない。尚、当然ながら、電動ポンプ１９が作動しなければ、上記のような冷却水の流れは起きず、対流による流れを除いて冷却水は略停止することになる。
【００３０】
一方、サーモスタット２５が開いているときには、電動ポンプ１９からの冷却水は、図３に矢印で示すようにシリンダブロック１１及びシリンダヘッド１２のウォータジャケット１３，１４を流通した後に、第１及び第２通路１６，１７を流通し、その後、電動ポンプ１９の吸入側に戻されるようになる。このとき、サーモスタット２５が開いていることから、ラジエータ１５との間で冷却水は流れる。
【００３１】
−エンジン油温制御装置の構成−
エンジン油温制御装置Ｂは、図１に示すように、エンジン潤滑用のオイルを冷却水と熱交換するオイルクーラ３０と、オイルをエンジン本体部１０の各部へ圧送するオイルポンプ３１と、オイルパン３２からのオイルをエンジン本体部１０に供給するためのオイル通路を構成する第１〜第３オイル通路３３〜３５とを備えている。
【００３２】
第１オイル通路３３の上流端部は、オイルポンプ３１へ侵入する異物を取り除くオイルストレーナー３６に連通している一方、その下流端部は、オイルクーラ３０のオイル入口に連通している。
【００３３】
オイルクーラ３０は、高温になり過ぎたオイルを冷やして温度を下げる従来周知のものであるが、その一方で、低温のオイルをその温度より高い冷却水と熱交換して、オイル温度を高くする、オイルウォーマの機能を有する。そして、第１オイル通路３３内を流通したオイルは、オイルクーラ３０において冷却水と熱交換した後に、オイルクーラ３０のオイル出口に接続されている第２オイル通路３４に流出する。
【００３４】
第２オイル通路３４の下流端部は、オイルポンプ３１の吸入側に連通している。言い換えると、上記オイル通路には、オイルクーラ３０の下流側にオイルポンプ３１が配設されている。
【００３５】
オイルポンプ３１は、例えばエンジン本体部１０のクランク軸の回転によってオイルパン３２内のオイルを吸い上げてエンジン本体部１０に送り出す従来周知のものである。オイルポンプ３１には、リリーフ孔（図示せず）と、このリリーフ孔を開閉するリリーフ弁３１ａとが設けられており、エンジン回転数が高くなったときに、リリーフ弁３１ａによりリリーフ孔を開放して、第２オイル通路３４内を流通したオイルの一部をリリーフ孔から吐出させてオイルパン３２にオイルリリーフ通路３７を介して戻すことにより、エンジン本体部１０に供給されるオイルの圧力ないし量の安定化を図るようになっている。言い換えると、リリーフ弁３１ａは、オイルクーラ３０内を流通したオイルのうちオイルパン３２に戻すオイルの量を調整することでエンジン本体部１０に供給されるオイルの量を調整可能なオイル調量手段を構成している。
【００３６】
第３オイル通路３５の上流端部は、オイルポンプ３１の吐出側に連通している一方、その下流端部は、エンジン本体部１０に連通している。そして、第３オイル通路３５内を流通したオイルは、エンジン本体部１０の回転系の要潤滑部位や要冷却部位などの各部に供給され、その後、オイルパン３２にオイル戻り通路３８を介して戻される。
【００３７】
上記のようにオイルクーラ３０の下流側にオイルポンプ３１を配設すると、オイルポンプ３１のリリーフ弁３１ａにより、オイルクーラ３０内を流通したオイルパン３２からのオイルのうちオイルパン３２に戻すオイルの量が調整されることでエンジン本体部１０に供給されるオイルの量が調整されるようになり、このことによって、従来のようにオイルパンからのオイルのうちオイルパンに戻すオイルの量が調整されることでエンジン本体部に供給されるオイルの量が調整された後に、その調量されたオイルがオイルクーラ内を流通する場合と比較して、オイルクーラ３０に供給されるオイルの量が増加する。これにより、オイルがオイルクーラ３０において冷却水と高効率で熱交換して、オイル全体の温度が上昇し、このことによって、エンジン暖機が促進される。
【００３８】
また、上記のようにオイル全体の温度が上昇すると、オイルの粘度が低減して、作動油圧が低下するようになり、このことによって、オイルクーラ３０内を流通したオイルパン３２からのオイルのうちオイルパン３２に戻すオイルの量が低減する。これにより、リリーフ損失が低減して、エンジン暖機がより一層促進される。
【００３９】
−電動ポンプの作動制御−
次に、ＥＣＵ２４のポンプ制御部２４ａによる電動ポンプ１９の作動制御について説明する。この電動ポンプ１９への出力電圧の制御は、デューティ比の変更によって出力電圧の大きさを調整する所謂デューティ制御であり、制御デューティ比を０〜１００％の範囲で変更することにより、出力電圧を例えば０．５〜１２Ｖくらいの所定範囲内において略リニアに変更して、電動ポンプ１９の回転数をきめ細かく且つ高精度に制御することができる。
【００４０】
また、ポンプ制御部２４ａは、制御デューティ比を予め設定した時間間隔で切り替えて、電動ポンプ１９にパルス状に電圧を供給することにより、電動ポンプ１９を一定の周期で間欠的に作動させることができるようになっている。そして、そのように電動ポンプ１９を作動させるパルス制御モードと、上記のように、電動ポンプ１９を連続的に作動させながら、その回転数をエンジンの状態に応じて変更する通常制御モードとに切り替えて、電動ポンプ１９の作動状態を制御する。
【００４１】
より具体的に、上記通常制御モードは、制御マップ（図示せず）に基づいて電動ポンプ１９の回転数を制御する。この制御マップは、電動ポンプ１９の基本的な制御回転数をエンジンの負荷及び回転数に応じて予め設定した３次元のものであり、相対的に高負荷乃至高回転側ではポンプ回転数を高くして、エンジンの多量の発熱に対応した冷却水の流量を確保する一方、相対的に低負荷乃至低回転側ではポンプ回転数を低くして、エンジンの過冷却を防止することにより、燃費を低減するようになっている。
【００４２】
すなわち、通常制御モードは、エンジン暖機中であって、エンジン水温ｔｈが後述の目標上限水温ｔｈ２以上になったときに行われるＷ／Ｐ連続運転制御モードと、エンジン暖機中であって、エンジンの負荷状態が全負荷を含む高負荷状態のときや、エンジン暖機完了後に行われるＷ／Ｐ通常制御モードとからなり、Ｗ／Ｐ連続運転制御モードでは、図４（ｄ）、（ｅ）に示すように、電動ポンプ１９を、その吐出量がＷ／Ｐ通常制御モードよりも少なくなる（冷却水の流量がＷ／Ｐ通常制御モードよりも少なくなる）ように連続作動させる。
【００４３】
これに対し、上記パルス制御モードは、電動ポンプ１９を間欠的に作動させることにより、エンジン本体部１０内のウォータジャケット１３，１４における冷却水の流通量が上記通常制御モードに比べて少なくなるようにしたものである。
【００４４】
すなわち、パルス制御モードは、エンジン暖機中であって、エンジン始動後に後述の設定時間ｔ１が経過したときに行われるＷ／Ｐパルス制御モードと、エンジン暖機中であって、エンジン水温ｔｈが目標下限水温ｔｈ１以上になったときに行われるＷ／Ｐ停止時間縮小制御モードと、このＷ／Ｐ停止時間縮小制御モードでの運転後であって、エンジン水温ｔｈが目標下限水温ｔｈ１よりも低くなったときに行われるＷ／Ｐ停止時間拡大制御モードとからなり、Ｗ／Ｐパルス制御モード、Ｗ／Ｐ停止時間縮小制御モード、及びＷ／Ｐ停止時間拡大制御モードでは、図４（ａ）〜（ｃ）に示すように、電動ポンプ１９を、その吐出量が互いに同一になる（冷却水の流量が互いに同一になる）ように間欠作動させる。
【００４５】
Ｗ／Ｐパルス制御モードでは、図４（ａ）に示すように、電動ポンプ１９を、その１作動周期当たりの作動時間が停止時間（非作動時間）よりも短くなるように間欠作動させる。こうすると、エンジン本体部１０内のウォータジャケット１３，１４における冷却水の流通は平均的には殆ど停止に近い状態になり、暖機が促進されるとともに、電動ポンプ１９の瞬間的な作動時にはウォータジャケット１３，１４内の冷却水全体が揺れて、僅かに攪拌されるようになり、これによりシリンダ周辺の局所的な温度上昇を抑制することができる。
【００４６】
一方、Ｗ／Ｐ停止時間縮小制御モードでは、図４（ｂ）に示すように、電動ポンプ１９を、その１作動周期（この１作動周期はＷ／Ｐパルス制御モードでの１作動周期と同じ時間）当たりの作動時間が時間の経過とともに長くなる（停止時間が時間の経過とともに短くなる）ように間欠作動させる。この結果、エンジン本体部１０内のウォータジャケット１３，１４において冷却水は、極く僅かながら連続的に流通するようになり、その流通量は、時間の経過とともに多くなるが、通常制御モードにおいて電動ポンプ１９を連続して作動させたときの最小の流量よりも少ない。言い換えると、Ｗ／Ｐ停止時間縮小制御モードでは、ウォータジャケット１３，１４における冷却水の流通状態は、上記Ｗ／Ｐパルス制御モードと通常制御モードの中間的なものとなる。
【００４７】
また、Ｗ／Ｐ停止時間拡大制御モードでは、図４（ｃ）に示すように、電動ポンプ１９を、その１作動周期（この１作動周期はＷ／Ｐパルス制御モードでの１作動周期と同じ時間）当たりの作動時間が時間の経過とともに短くなる（停止時間が時間の経過とともに長くなる）ように間欠作動させる。この結果、エンジン本体部１０内のウォータジャケット１３，１４において冷却水は、極く僅かながら連続的に流通して、その流通量は、時間の経過とともに少なくなるとともに、通常制御モードにおいて電動ポンプ１９を連続して作動させたときの最小の流量よりも少ない。言い換えると、Ｗ／Ｐ停止時間拡大制御モードでは、ウォータジャケット１３，１４における冷却水の流通状態は、上記Ｗ／Ｐパルス制御モードと通常制御モードの中間的なものとなる。
【００４８】
−サーモスタットの作動制御−
次に、ＥＣＵ２４の冷却水回路制御部２４ｂによるサーモスタット２５の作動制御について説明する。このサーモスタット２５への出力電圧の制御は、デューティ比の変更によって出力電圧の大きさを調整する所謂デューティ制御であり、制御デューティ比を０〜１００％の範囲で変更することにより、サーモスタット２５の開度をきめ細かく且つ高精度に制御することができる。
【００４９】
また、冷却水回路制御部２４ｂは、制御デューティ比を予め設定した時間間隔で切り替えて、サーモスタット２５にパルス状に電圧を供給することにより、サーモスタット２５を一定の周期で間欠的に開弁（全開）させることができるようになっている。そして、そのようにサーモスタット２５を作動させるパルス制御モードと、サーモスタット２５を連続的に開弁（全開）させるＥＴＳ開弁制御モードと、サーモスタット２５を連続的に閉弁（全閉）させるＥＴＳ閉弁制御モードに切り替えて、サーモスタット２５の作動状態を制御する。
【００５０】
より具体的に、上記ＥＴＳ開弁制御モードは、エンジン暖機完了後に行われ、サーモスタット２５を連続開弁させる。この結果、ラジエータ１５からの冷却水は、エンジン本体部１０内のウォータジャケット１３，１４に連続的に流入するようになる。
【００５１】
また、上記ＥＴＳ閉弁制御モードは、エンジン暖機中であって、エンジン水温ｔｈが目標上限水温ｔｈ２以上になるまで行われ、サーモスタット２５を連続閉弁させる。この結果、ラジエータ１５からの冷却水は、エンジン本体部１０内のウォータジャケット１３，１４に流入しない。
【００５２】
これに対し、上記パルス制御モードは、サーモスタット２５を間欠的に開弁させることにより、ラジエータ１５からのエンジン本体部１０内のウォータジャケット１３，１４への冷却水の流入量が上記ＥＴＳ開弁制御モードに比べて少なくなるようにしたものである。
【００５３】
すなわち、パルス制御モードは、エンジン暖機中であって、エンジン水温ｔｈが目標上限水温ｔｈ２以上になったときに行われるＥＴＳパルス開弁制御モードと、このＥＴＳパルス開弁制御モードでの運転後であって、エンジン水温ｔｈが目標下限水温ｔｈ１よりも低くなったときに行われるＥＴＳ開弁時間縮小制御モードと、ＥＴＳパルス開弁制御モードでの運転後であって、エンジン水温ｔｈが目標上限水温ｔｈ２以上になったときに行われるＥＴＳ開弁時間拡大制御モードとからなる。
【００５４】
ＥＴＳパルス開弁制御モードでは、図５（ａ）に示すように、サーモスタット２５を、その１作動周期当たりの開弁時間が閉弁時間よりも短くなるように間欠開弁させる。こうすると、ラジエータ１５からの冷却水は、エンジン本体部１０内のウォータジャケット１３，１４に間欠的に流入するようになる。
【００５５】
一方、ＥＴＳ開弁時間縮小制御モードでは、図５（ｂ）に示すように、サーモスタット２５を、その１作動周期（この１作動周期はＥＴＳパルス開弁制御モードでの１作動周期と同じ時間）当たりの開弁時間が時間の経過とともに短くなる（閉弁時間が時間の経過とともに長くなる）ように間欠開弁させる。この結果、ラジエータ１５からの冷却水は、エンジン本体部１０内のウォータジャケット１３，１４に間欠的に流入するが、その流入量は、時間の経過とともに少なくなり、このことによって、冷却水温度は、時間の経過とともに高くなる。
【００５６】
また、ＥＴＳ開弁時間拡大制御モードでは、図５（ｃ）に示すように、サーモスタット２５を、その１作動周期（この１作動周期はＥＴＳパルス制御モードでの１作動周期と同じ時間）当たりの開弁時間が時間の経過とともに長くなる（閉弁時間が時間の経過とともに短くなる）ように間欠開弁させる。この結果、ラジエータ１５からの冷却水は、エンジン本体部１０内のウォータジャケット１３，１４に間欠的に流入するが、その流入量は、時間の経過とともに多くなり、このことによって、冷却水温度は、時間の経過とともに低くなる。
【００５７】
−エンジン冷機時の制御手順−
以下に、エンジンの始動後にＥＣＵ２４によって行われる電動ポンプ１９やサーモスタット２５の具体的な制御手順を、主に図６、図７のフローチャート図に基づき、図１〜図５を参照して説明する。この実施形態では、冷却水のＬＬＣ（ロングライフクーラント）濃度は、通常濃度（例えば５０％）となっており、冷却水の目標水温は、通常水温（例えば９０℃）となっている。
【００５８】
＜冷間始動制御＞
まず、エンジン始動に応じてスタートした図６、図７の冷間始動制御フローにおいてステップＳ１では、電動ポンプ１９を停止状態とし、サーモスタット２５を閉弁状態とする。このように電動ポンプ１９を停止状態とすると、冷却水回路において冷却水の流通状態が流通停止状態になる。
【００５９】
また、上記のようにサーモスタット２５を連続的に全閉させると、電動ポンプ１９を作動状態にしても、ラジエータ１５からの冷却水は、ウォータジャケット１３，１４に流入しない。
【００６０】
続くステップＳ２において、水温センサ２８により検出した始動時のエンジン水温ｔｈから冷間始動かどうか判定する。
【００６１】
その判定がＮＯで温間始動であれば、後述のステップＳ１７に進む一方、判定がＹＥＳで冷間始動であれば、ステップＳ３に進み、エンジン始動後に電動ポンプ１９の運転を開始するまでの設定時間ｔ１が経過したかどうか判定する。この設定時間ｔ１は、始動時のエンジン水温に対応する適値を予め実験等により決定して、例えばテーブルに設定しておき、このテーブルから読み込むようにすればよい。この例では、始動時のエンジン水温が低いほどエンジン暖機に時間がかかると推定して、設定時間ｔ１を長くするようにしている。
【００６２】
上記ステップＳ３において判定がＮＯ、即ち設定時間ｔ１が経過していないならば、時間の経過を待つ間、電動ポンプ１９を停止状態に維持する。これにより、エンジン本体部１０内のウォータジャケット１３，１４における冷却水の流通を停止して、その暖機を最大限に促進することができる。そして、冷間始動から設定時間ｔ１が経過すれば（ステップＳ３でＹＥＳ）ステップＳ４に進んで、電動ポンプ１９をＷ／Ｐパルス制御モードで運転する。
【００６３】
すなわち、まず、Ｗ／Ｐパルス制御モードにおける電動ポンプ１９の間欠作動の周期及びその作動時の制御デューティ比をそれぞれ予め設定したテーブルから読み込む。このテーブルは、例えば、エンジン水温に応じて電動ポンプ１９の作動周期及びデューティ比の適値をそれぞれ実験等に基づいて決定したものであり、この例では作動周期やデューティ比は変化しないように設定されている。
【００６４】
そして、上記作動周期及びデューティ比に対応する制御信号により電動ポンプ１９のモータにパルス状に出力電圧を印加して、これを間欠的に作動させる。そうして電動ポンプ１９を間欠的に作動させると、シリンダブロック１１やシリンダヘッド１２のウォータジャケット１３，１４における冷却水は、電動ポンプ１９の連続的な作動時のように入口側から出口側に向かって連続的に移動するのではなく、瞬間的なポンプ作動によって小さく移動した後に直ちに停止することを繰り返すようになり、冷却水回路において冷却水の流通状態が第１流通状態になる。
【００６５】
言い換えると、上記Ｗ／Ｐパルス制御モードでは、電動ポンプ１９の間欠作動によって、ウォータジャケット１３，１４の冷却水全体が周期的に揺れて、僅かに攪拌されるように間欠的に流通することになり、このことによって、エンジンの各シリンダ周辺の局所的な温度上昇が抑制されるとともに、冷却水を停止させているときと同じようにエンジンの放熱量が少なくなって、エンジンの暖機が十分に促進されることになる。
【００６６】
また、ウォータジャケット１３，１４からの冷却水は、オイルクーラ３０を流通するようになり、このことによって、オイルがオイルクーラ３０において比較的高温の冷却水と熱交換して加熱されて、その温度が上昇する。
【００６７】
さらに、上記のように電動ポンプ１９を間欠作動させると、エンジンの放熱が極小化して、エンジン暖機中においてオイルクーラ３０に供給されるオイルと冷却水との温度差が大きくなるようになり、このことによって、オイルがオイルクーラ３０において冷却水とより一層高効率で熱交換して、その温度がより一層上昇する。
【００６８】
ここで、上記のような冷間始動後の電動ポンプ１９の作動状態とエンジン水温（シリンダヘッド後端の導出路２１付近における出口水温）の上昇とエンジン油温の上昇の関係を図８のタイムチャートに示すと、まず、冷間始動後に設定時間ｔ１が経過するまでの間（ｔ＝０〜ｔ１）は、電動ポンプ１９の制御デューティ比が０％とされて、ポンプが停止状態に維持され（ステップＳ３で待機）、これによりエンジンからの放熱が極小化される。このときに、図に細い実線で示すようにエンジン出口水温の上昇が見かけ上、遅れているのは、電動ポンプ１９が停止していてウォータジャケット１３，１４の冷却水が殆ど移動しないことから、シリンダの周りの暖められた冷却水がウォータジャケット１４の出口にまで到達しないことによる。
【００６９】
そして、上記のように暖められた冷却水が対流によりウォータジャケット１４の出口に到達するようになると、図示の如く水温は上昇して、従来一般的な機械式ウォータポンプの場合（一点鎖線で示す）を追い越すが、始動から設定時間ｔ１が経過すると（時刻ｔ１）、Ｗ／Ｐパルス制御モードでの運転が開始されて（ステップＳ４）、電動ポンプ１９は上記の如く間欠的に作動するようになる。この電動ポンプ１９の間欠作動によって、ウォータジャケット１３，１４の冷却水が間欠的に流通し、それが僅かに攪拌されることになるため、各シリンダ周辺等での局所的な温度上昇は抑制される。
【００７０】
また、上記のようにエンジンが冷間始動すると、図に太い実線で示すように油温は上昇して、ウォータジャケット１３，１４の冷却水が間欠的に流通するようになった直後に、従来一般的な機械式ウォータポンプの場合（二点鎖線で示す）を追い越し、オイルの温度上昇は早くなる。
【００７１】
上記図６、図７に示す冷間始動制御フローのステップＳ４に続いて、ステップＳ５では水温センサ２８による冷却水温度の検出値ｔｈが目標下限水温ｔｈ１（この例では例えば８５℃）以上かどうか判定する。この判定がＮＯであれば、上記ステップＳ４にリターンしてＷ／Ｐパルス制御モードでの運転を継続する一方、判定がＹＥＳで検出水温ｔｈ≧ｔｈ１であれば、ステップＳ６に進んで、電動ポンプ１９をＷ／Ｐ停止時間縮小制御モードで運転する。すなわち、上記Ｗ／Ｐパルス制御モードと同様に電動ポンプ１９の間欠作動の周期及びそのデューティ比を制御して、電動ポンプ１９を間欠的に作動させる。このように電動ポンプ１９を間欠的に作動させると、冷却水回路において冷却水の流通状態が第１流通状態になる。
【００７２】
このＷ／Ｐ停止時間縮小制御モードでは、初期はウォータジャケット１３，１４において冷却水が小さく移動した後に直ちに停止することを繰り返すが、時間の経過とともに少量であっても連続的に流れるようになり、ウォータジャケット１３，１４の冷却水が入れ替わる。
【００７３】
続くステップＳ７では水温センサ２８による冷却水温度の検出値ｔｈが目標下限水温ｔｈ１以上かどうか判定する。この判定がＮＯであれば、後述のステップＳ８に進む一方、判定がＹＥＳで検出水温ｔｈ≧ｔｈ１であれば、後述のステップＳ９に進む。
【００７４】
ステップＳ８では電動ポンプ１９をＷ／Ｐ停止時間拡大制御モードで運転して上記ステップＳ７にリターンする。すなわち、上記Ｗ／Ｐパルス制御モードと同様に電動ポンプ１９の間欠作動の周期及びそのデューティ比を制御して、電動ポンプ１９を間欠的に作動させる。このように電動ポンプ１９を間欠的に作動させると、冷却水回路において冷却水の流通状態が第１流通状態になる。
【００７５】
このＷ／Ｐ停止時間拡大制御モードでは、初期はウォータジャケット１３，１４において冷却水が少量であっても連続的に流れるが、時間の経過とともに小さく移動した後に直ちに停止することを繰り返すようになる。
【００７６】
ステップＳ９では、今度は検出水温ｔｈが、目標下限水温ｔｈ１よりも高い目標上限水温ｔｈ２（この例では例えば９５℃）以上かどうか判定し、ＹＥＳでｔｈ≧ｔｈ２であれば、後述のステップＳ１０に進む一方、判定がＮＯでｔｈ＜ｔｈ２であれば、上記ステップＳ６にリターンしてＷ／Ｐ停止時間縮小制御モードでの運転を行う。
【００７７】
ステップＳ１０では電動ポンプ１９をＷ／Ｐ連続運転制御モードで運転する。すなわち、上記Ｗ／Ｐパルス制御モードと同様に電動ポンプ１９の連続作動の周期及びそのデューティ比を制御して、電動ポンプ１９を連続的に作動させる。このように電動ポンプ１９を連続的に作動させると、冷却水回路において冷却水の流通状態が上記第１流通状態よりも冷却水の流通量が多い第２流通状態になる。
【００７８】
このＷ／Ｐ連続運転制御モードでは、ウォータジャケット１３，１４において冷却水が連続的に流れるようになる。
【００７９】
続くステップＳ１１では、サーモスタット２５をＥＴＳパルス開弁制御モードで運転する。
【００８０】
すなわち、まず、ＥＴＳパルス開弁制御モードにおけるサーモスタット２５の間欠開弁の周期及びその開弁時の制御デューティ比をそれぞれを予め設定したテーブルから読み込む。このテーブルは、例えば、エンジン水温に応じてサーモスタット２５の作動周期及びデューティ比の適値をそれぞれ実験等に基づいて決定したものであり、この例では作動周期やデューティ比は変化しないように設定されている。
【００８１】
そして、上記作動周期に対応する制御信号によりサーモスタット２５にパルス状に出力電圧を印加して、これを間欠的に開弁させる。そうしてサーモスタット２５を間欠的に開弁させると、ラジエータ１５からの冷却水は、サーモスタット２５の連続的な開弁時のようにウォータジャケット１３，１４に連続的に流入するのではなく、間欠的な開弁によってウォータジャケット１３，１４に間欠的に流入するようになる。
【００８２】
続くステップＳ１２では水温センサ２８による冷却水温度の検出値ｔｈが目標上限水温ｔｈ２以上かどうか判定する。この判定がＮＯであれば、後述のステップＳ１３に進む一方、判定がＹＥＳで検出水温ｔｈ≧ｔｈ２であれば、後述のステップＳ１５に進む。
【００８３】
ステップＳ１３では水温センサ２８による冷却水温度の検出値ｔｈが目標下限水温ｔｈ１以上かどうか判定する。この判定がＮＯであれば、後述のステップＳ１４に進む一方、判定がＹＥＳで検出水温ｔｈ≧ｔｈ１であれば、上記ステップＳ１１にリターンしてＥＴＳパルス開弁制御モードでの運転を継続する。
【００８４】
ステップＳ１４では、サーモスタット２５をＥＴＳ開弁時間縮小制御モードで運転して上記ステップＳ１３にリターンする。すなわち、上記ＥＴＳパルス開弁制御モードと同様にサーモスタット２５の間欠開弁の周期及びそのデューティ比を制御して、サーモスタット２５を間欠的に開弁させる。
【００８５】
このＥＴＳ開弁時間縮小制御モードでは、ラジエータ１５からの冷却水は、ウォータジャケット１３，１４に間欠的に流入するが、その流入量は、時間の経過とともに少なくなり、このことによって、冷却水温度は、時間の経過とともに高くなる。
【００８６】
ステップＳ１５ではサーモスタット２５をＥＴＳ開弁時間拡大制御モードで運転する。すなわち、上記ＥＴＳパルス開弁制御モードと同様にサーモスタット２５の間欠開弁の周期及びそのデューティ比を制御して、サーモスタット２５を間欠的に開弁させる。
【００８７】
このＥＴＳ開弁時間拡大制御モードでは、ラジエータ１５からの冷却水は、ウォータジャケット１３，１４に間欠的に流入するが、その流入量は、時間の経過とともに多くなり、このことによって、冷却水温度は、時間の経過とともに低くなる。
【００８８】
続くステップＳ１６ではサーモスタット２５の作動周期がサーモスタット２５の１作動周期当たりのサーモスタット２５の開弁時間に等しい、即ち収束したかどうか判定する。この判定がＹＥＳで作動周期＝開弁時間であれば、後述のステップＳ１７に進む一方、判定がＮＯで作動周期≠開弁時間であれば、上記ステップＳ１２にリターンしてＥＴＳ開弁時間拡大制御モードでの運転を継続する。
【００８９】
ステップＳ１７ではサーモスタット２５をＥＴＳ開弁制御モードで運転する。すなわち、サーモスタット２５を連続的に開弁させる。
【００９０】
このＥＴＳ開弁制御モードでは、ラジエータ１５からの冷却水は、ウォータジャケット１３，１４に連続的に流入するようになる。
【００９１】
続くステップＳ１８では暖機完了と判定し、電動ポンプ１９をＷ／Ｐ通常制御モードに切り替えて、冷機時の制御は終了となる（エンド）。すなわち、上記Ｗ／Ｐ連続運転制御モードと同様に電動ポンプ１９のデューティ比を制御して、電動ポンプ１９を連続的に作動させる。
【００９２】
このＷ／Ｐ通常制御モードでは、ウォータジャケット１３，１４において冷却水が連続的に流れるようになる。
【００９３】
以上のようにして従来一般的な機械式ウォータポンプの場合（図８の二点鎖線のグラフ）よりも格段に早く暖機が完了する。
【００９４】
つまり、この実施形態では、冷間始動後のエンジン暖機を促進するために、Ｗ／Ｐパルス制御モードで電動ポンプ１９を運転し、局所的な温度上昇を抑制しながら、ポンプ停止時と同様にエンジンからの放熱を非常に少なくするとともに、Ｗ／Ｐ停止時間縮小制御モードでの運転に切り替えて、冷却水の循環量を増やすことにより、エンジン本体部１０のウォータジャケット１３，１４の冷却水を入れ替えるようにしている。
【００９５】
−効果−
以上により、本実施形態によれば、オイルポンプ３１のリリーフ弁３１ａにより、オイルクーラ３０内を流通したオイルパン３２からのオイルのうちオイルパン３２に戻すオイルの量を調整することでエンジン本体部１０に供給されるオイルの量を調整するので、従来のように、オイルパンからのオイルのうちオイルパンに戻すオイルの量を調整することでエンジン本体部に供給されるオイルの量を調整した後に、その調量されたオイルをオイルクーラ内を流通させる場合と比較して、オイルクーラ３０に供給されるオイルの量を増加させることができる。このため、オイルをオイルクーラ３０において冷却水と高効率で熱交換させることができ、オイル全体の温度を上昇させることができる。よって、エンジン暖機を促進することができる。
【００９６】
また、上記のように、オイル全体の温度を上昇させることができるので、オイルの粘度を低減することができ、作動油圧を低下させることができる。このため、オイルクーラ３０内を流通したオイルパン３２からのオイルのうちオイルパン３２に戻すオイルの量を低減させることができる。よって、リリーフ損失を低減することができ、エンジン暖機をより一層促進することができる。
【００９７】
さらに、ＥＣＵ２４のポンプ制御部２４ａにより、エンジン暖機中であって、エンジン冷間始動から設定時間ｔ１が経過するまで、エンジン本体部１０との間で冷却水を循環させるための冷却水回路において冷却水の流通状態が流通停止状態になるように電動ポンプ１９を作動させる一方、エンジン暖機中であって、エンジン冷間始動から設定時間ｔ１が経過した後、冷却水回路において冷却水の流通状態がエンジン暖機後の流通状態よりも冷却水の流通量が少ない流通状態になるように電動ポンプ１９を作動させるので、エンジンの放熱を極小化することができ、エンジン暖機中においてオイルクーラ３０に供給されるオイルと冷却水との温度差を大きくすることができる。このため、オイルをオイルクーラ３０において冷却水とより一層高効率で熱交換させることができ、オイル全体の温度をより一層上昇させることができる。よって、エンジン暖機をより一層促進することができる。
【００９８】
（その他の実施形態）
上記各実施形態では、冷却水のＬＬＣ濃度を通常濃度とし、冷却水の目標水温を通常水温としているが、これに限らず、例えば、冷却水のＬＬＣ濃度を上記通常濃度よりも高濃度（例えば９０〜９５％）とし、冷却水の目標水温を上記通常水温よりも高温（例えば１２０℃）としてもよい。この場合、目標下限水温ｔｈ１を例えば１１５℃とし、目標上限水温ｔｈ２を例えば１２５℃とする。電動ポンプ１９やサーモスタット２５の制御手順は、上記各実施形態とほぼ同様の制御手順である。図９のタイムチャートに、冷間始動後の電動ポンプ１９の作動状態とエンジン水温の上昇とエンジン油温の上昇の関係を示す。同図の短い破線は、エンジン水温を示し、長い破線は、エンジン油温を示している。その他の線は、図８の線と同様である。
【００９９】
また、上記各実施形態では、電動ポンプ１９やサーモスタット２５を一定の周期で制御しているが、電動ポンプ１９の停止時間やサーモスタット２５の開弁時間を変えることができる限り、これに限定されない。例えば、それらを可変周期で制御してもよい。
【０１００】
さらに、上記各実施形態では、オイル調量手段をオイルポンプ３１のリリーフ弁３１ａで構成しているが、オイルクーラ３０内を流通したオイルパン３２からのオイルのうちオイルパン３２に戻すオイルの量を調整することでエンジン本体部１０に供給されるオイルの量を調整可能なものである限り、これに限定されない。
【０１０１】
さらにまた、上記各実施形態では、ウォータポンプを電動ポンプ１９で構成しているが、従来一般的な機械式ウォータポンプで構成してもよい。
【０１０２】
本発明は、実施形態に限定されず、その精神又は主要な特徴から逸脱することなく他の色々な形で実施することができる。
【０１０３】
このように、上述の実施形態はあらゆる点で単なる例示に過ぎず、限定的に解釈してはならない。本発明の範囲は特許請求の範囲によって示すものであって、明細書には何ら拘束されない。さらに、特許請求の範囲の均等範囲に属する変形や変更は、全て本発明の範囲内のものである。
【産業上の利用可能性】
【０１０４】
以上説明したように、本発明は、エンジン暖機中においてオイル熱交換器に供給されるオイルの量を増加してオイルをオイル熱交換器において冷却水と高効率で熱交換させることにより、エンジン暖機を促進する用途等に適用できる。
【図面の簡単な説明】
【０１０５】
【図１】本発明の実施形態に係るエンジン冷却装置及びエンジン油温制御装置の概略構成を示す模式図である。
【図２】サーモスタットが閉じているときの冷却水の流れを示す模式図である。
【図３】サーモスタットが開いているときの冷却水の流れを示す模式図である。
【図４】電動ポンプの流量状態を示すタイムチャート図であり、（ａ）は、Ｗ／Ｐパルス制御モードでの流量状態を示す図であり、（ｂ）は、Ｗ／Ｐ停止時間縮小制御モードでの流量状態を示す図であり、（ｃ）は、Ｗ／Ｐ停止時間拡大制御モードでの流量状態を示す図であり、（ｄ）は、Ｗ／Ｐ連続運転制御モードでの流量状態を示す図であり、（ｅ）は、Ｗ／Ｐ通常制御モードでの流量状態を示す図である。
【図５】実施形態１に係るサーモスタットの開弁状態を示すタイムチャート図であり、（ａ）は、ＥＴＳパルス開弁制御モードでの開弁状態を示す図であり、（ｂ）は、ＥＴＳ開弁時間縮小制御モードでの開弁状態を示す図であり、（ｃ）は、ＥＴＳ開弁時間拡大制御モードでの開弁状態を示す図である。
【図６】冷間始動制御フローの一部を示すフローチャート図である。
【図７】冷間始動制御フローの一部を示すフローチャート図である。
【図８】冷間始動後の電動ポンプの運転によって、エンジン水温やエンジン油温が上昇する様子を示すタイムチャート図である。
【図９】その他の実施形態における冷間始動後の電動ポンプの運転によって、エンジン水温やエンジン油温が上昇する様子を示すタイムチャート図である。
【符号の説明】
【０１０６】
１０    エンジン本体部
１１    シリンダブロック
１２    シリンダヘッド
１３    ウォータジャケット（冷却液回路）
１４    ウォータジャケット（冷却液回路）
１５    ラジエータ
１６    第１通路（冷却液回路）
１７    第２通路（冷却液回路）
１８    バイパス通路（冷却液回路）
１９    電動ポンプ
２０    導入路（冷却液回路）
２１    導出路（冷却液回路）
２４    ＥＣＵ
２４ａ  ポンプ制御部（ポンプ制御手段）
３０    オイルクーラ（オイル熱交換器）
３１    オイルポンプ
３１ａ  リリーフ弁（オイル調量手段）
３２    オイルパン
３３    第１オイル通路
３４    第２オイル通路
３５    第３オイル通路
Ｂ      エンジン油温制御装置
【図１】
2010216410.tif 000003
【図２】
2010216410.tif 000004
【図３】
2010216410.tif 000005
【図４】
2010216410.tif 000006
【図５】
2010216410.tif 000007
【図６】
2010216410.tif 000008
【図７】
2010216410.tif 000009
【図８】
2010216410.tif 000010
【図９】
2010216410.tif 000011